(57)【特許請求の範囲】
【請求項１】
ジャックに対してコネクタをロック状態にするロックレバー付きの前記コネクタを囲うケースと、
前記ケース内に第１の軸を中心にして回動自在に支持され、かつ、前記ケースから前記コネクタの抜去方向に突出した部位にユーザが操作する操作部を備えた操作レバーと、
前記ケース内に第２の軸を中心にして回動自在に支持され、かつ、前記ロックレバーを押下して前記コネクタと前記ジャックとのロック状態を解除する解除レバーと、
前記操作レバーに設けられた突起とを有し、
前記解除レバーに、前記突起と嵌合しつつ、前記操作レバーの回動運動に伴う前記突起の変位を長径方向に許容する長穴が設けられたことを特徴とするコネクタのロック解除装置。
【請求項２】
前記ケースに、前記コネクタに接続されたケーブルが通るスリットが設けられたことを特徴とする請求項１に記載のコネクタのロック解除装置。
【請求項３】
前記操作部は、側面視において、前記第１の軸よりも高い位置から前記ケースの外側に突出したことを特徴とする請求項１に記載のコネクタのロック解除装置。
【請求項４】
前記解除レバーは、側面視において、前記第２の軸よりも高い位置に前記ロックレバーを押下する押下部を有することを特徴とする請求項１に記載のコネクタのロック解除装置。
【請求項５】
前記押下部の幅は、前記操作部の幅よりも狭いことを特徴とする請求項４に記載のコネクタのロック解除装置。
【発明の詳細な説明】
【技術分野】
【０００１】
本発明は、コネクタのロック解除装置に関する。
【背景技術】
【０００２】
サーバ等の電子機器には、外部と通信を行うための様々なケーブルが接続される。それらのケーブルの端部には電子機器に挿抜可能なコネクタが設けられているが、そのコネクタが電子機器から抜けるのを防止するためのロックレバーがコネクタに設けられていることがある。
【０００３】
例えば、電話線のモジュラジャックの規格であるRJ-11や、イーサネット（登録商標）用コネクタの規格であるRJ-45に準拠したコネクタにおいては、コネクタの外周面からロックレバーが突出している。
【０００４】
また、上記のRJ-11やRJ-45は米連邦通信委員会に登録された公的な規格であるが、ベンダー独自の規格に準拠したコネクタにおいてもロックレバーが設けられるものがある。
【０００５】
そして、これらのコネクタを受容するジャックがロックレバーと係合することによりコネクタとジャックとがロックされた状態となり、電子機器からコネクタが抜けるのが防止される。
【０００６】
また、ユーザがロックレバーを押下することによりジャックとロックレバーとの係合状態が解除され、ジャックからコネクタを抜去することができる。
【先行技術文献】
【特許文献】
【０００７】
【特許文献１】特開昭６３−１８４２７４号公報
【発明の概要】
【発明が解決しようとする課題】
【０００８】
ところで、前述のコネクタのロックレバーは、コネクタからの突出量が小さいうえに指先でやっと押下できる程度に小さいため操作性が悪い。そのため、サーバの背面で複数のケーブルが密集した部分のように、狭いスペースにあるコネクタを抜去するのが難しい。
【０００９】
開示の技術は、上記に鑑みてなされたものであって、狭いスペースにあるコネクタを抜去するのが容易となるコネクタのロック解除装置を提供することを目的とする。
【課題を解決するための手段】
【００１０】
以下の開示の一観点によれば、ジャックに対してコネクタをロック状態にするロックレバー付きの前記コネクタを囲うケースと、前記ケース内に第１の軸を中心にして回動自在に支持され、かつ、前記ケースから前記コネクタの抜去方向に突出した部位にユーザが操作する操作部を備えた操作レバーと、前記ケース内に第２の軸を中心にして回動自在に支持され、かつ、前記ロックレバーを押下して前記コネクタと前記ジャックとのロック状態を解除する解除レバーと前記操作レバーに設けられた突起とを有し、前記解除レバーに、前記突起と嵌合しつつ、前記操作レバーの回動運動に伴う前記突起の変位を長径方向に許容する長穴が設けられたコネクタのロック解除装置が提供される。
【発明の効果】
【００１１】
以下の開示によれば、ユーザがコネクタのロックレバーを押下しなくても、操作レバーを操作することでコネクタとジャックとのロック状態を解消できるので、狭いスペースにあるコネクタを抜去するのが容易となる。
【図面の簡単な説明】
【００１２】
【図１】図１（ａ）〜（ｃ）は、ジャックからコネクタを抜去する手順を模式的に説明するための一部断面側面図である。
【図２】図２は、コネクタの不都合について模式的に説明するための一部断面側面図である。
【図３】図３は、狭い所にコネクタがある場合について模式的に説明するための一部断面側面図である。
【図４】図４（ａ）〜図４（ｃ）は、ベンダー独自の規格に準拠したコネクタをジャックから抜去する手順について模式的に説明するための一部断面側面図である。
【図５】図５は、本実施形態に係るコネクタのロック解除装置を模式的に説明するための一部断面側面図である。
【図６】図６は、本実施形態に係るコネクタのロック解除装置の外観図である。
【図７】図７は、本実施形態に係るコネクタのロック解除装置の透視斜視図である。
【図８】図８は、本実施形態に係るコネクタのロック解除装置の上面図である。
【図９】図９は、本実施形態に係る解除装置の側面図である。
【図１０】図１０（ａ）は、本実施形態に係るコネクタのロック解除装置を操作レバー側から見た正面図であり、図１０（ｂ）は、第１の軸とその周囲の正面図である。
【図１１】図１１（ａ）は、本実施形態に係るロック解除装置を解除レバー側から見た背面図であり、図１１（ｂ）は第２の軸とその周囲の背面図である。
【図１２】図１２は、本実施形態に係るコネクタのロック解除装置の透視側面図である。
【図１３】図１３は、操作レバーの正面図である。
【図１４】図１４は、突起とその周囲の正面図である。
【図１５】図１５（ａ）、（ｂ）は、操作レバーと解除レバーの動作原理について説明するための側面図である。
【図１６】図１６（ａ）、（ｂ）は、本実施形態に係るコネクタのロック解除装置を用いたコネクタのロック解除方法について模式的に説明するための一部断面側面図（その１）である。
【図１７】図１７（ａ）、（ｂ）は、本実施形態に係るコネクタのロック解除装置を用いたコネクタのロック解除方法について模式的に説明するための一部断面側面図（その２）である。
【図１８】図１８は、比較例に係る複数のコネクタの一部断面側面図である。
【図１９】図１９は、本実施形態に係るロック解除装置の使用を前提とした複数のコネクタの一部断面側面図である。
【図２０】図２０（ａ）、（ｂ）は、本実施形態によりコネクタの実装密度が向上することで得られる効果について説明するための模式図である。
【図２１】図２１（ａ）、（ｂ）は、本実施形態に係るコネクタのロック解除装置を用いることにより、ロックレバーが突出していないタイプのコネクタのロック状態を解除する方法について説明するための一部断面側面図（その１）である。
【図２２】図２２（ａ）、（ｂ）は、本実施形態に係るコネクタのロック解除装置を用いることにより、ロックレバーが突出していないタイプのコネクタのロック状態を解除する方法について説明するための一部断面側面図（その２）である。
【発明を実施するための最良の形態】
【００１３】
本実施形態の説明に先立ち、本願発明者が検討した事項について説明する。
【００１４】
図１（ａ）〜（ｃ）は、ジャックからコネクタを抜去する手順を模式的に説明するための一部断面側面図である。
【００１５】
図１（ａ）に示すように、抜去前においては、コネクタ１はジャック２に挿入された状態となっている。
【００１６】
そのコネクタ１は、例えばRJ-11やRJ-45に準拠したものであって、その外周面１ａからロックレバー４が突出すると共に、ケーブル３の端部と接続される。
【００１７】
また、この状態においてはロックレバー４がジャック２と嵌合しており、コネクタ１とジャック２とがロックされた状態にある。
【００１８】
このロック状態を解消するには、図１（ｂ）に示すように、ユーザが指でコネクタ１をつまむ。
【００１９】
そして、図１（ｃ）に示すように、指先でロックレバー４を押下することでロック状態を解消し、ジャック２からコネクタ１を抜去する。
【００２０】
次に、このコネクタ１の不都合について検討する。
【００２１】
図２は、コネクタ１の不都合について模式的に説明するための一部断面側面図である。
【００２２】
図２に示すように、コネクタ１をつまむには、コネクタ１の周囲に指Fが入る程度のスペースSが必要である。このようなスペースSがない狭い所にコネクタ１がある場合には、指Fでコネクタ１を抜去するのが難しい。
【００２３】
図３は、このように狭い所にコネクタ１がある場合について模式的に説明するための一部断面側面図である。
【００２４】
この場合は、例えば指Fでコネクタ１を下から支えながら、精密ドライバ等の工具９でコネクタ１のロックレバー４を押下しないとコネクタ１を抜去することができない。しかし、工具９でロックレバー４を押下すること自体がユーザにとって面倒であり、更に工具９によってコネクタ１を傷つけるおそれもある。
【００２５】
一方、図４（ａ）〜図４（ｃ）は、ベンダー独自の規格に準拠したコネクタをジャックから抜去する手順について模式的に説明するための一部断面側面図である。なお、図４（ａ）〜図４（ｃ）において、図１（ａ）〜図１（ｃ）と同じ要素にはこれらにおけるのと同じ符号を付し、以下ではその説明を省略する。
【００２６】
図４（ａ）に示すように、この場合も抜去前においてはコネクタ５がジャック２に挿入された状態となっている。
【００２７】
但し、この例ではロックレバー４がコネクタ５の外周面５ａと略同一面内にあり、そのロックレバー４の係止爪４ａがジャック２に係止することにより、ジャック２にコネクタ５がロックされている。
【００２８】
このように外周面５ａと略同一面内にロックレバー４を設けることで、ユーザが誤ってロックレバー４を押下する危険性が少なくなる。そのため、この種のコネクタ５は、車載用のカーナビゲーションやFA(Factory Automation)システムのようにコネクタの抜去を頻繁に行う必要がなかったり、安全性が求められたりする分野で使用されることがある。例えば、CAR-USB用４芯コネクタやCAR-USB用６芯コネクタにおいては、このように外周面５ａと略同一面内にロックレバー４が設けられる。
【００２９】
このコネクタ５のロック状態を解消するには、図４（ｂ）に示すように、ユーザが指Fでコネクタ１をつまむことにより、係止爪４ａとジャック２との係止状態を解消させる。
【００３０】
但し、前述のようにロックレバー４と外周面５ａとが略同一面にあるため、ロックレバー４を強めに押下しなければロック状態が解消せず、操作性は著しく悪い。
【００３１】
そして、図４（ｃ）に示すように、指先でロックレバー４を押下したままジャック２からコネクタ５を抜去する。
【００３２】
このようなコネクタ５においては、前述のようにロックレバー４を押下するのがそもそも難しいため、狭い所から抜去するのが一層困難となる。
【００３３】
以下に、このように狭い所にあるコネクタでも簡単に抜去することができるコネクタのロック解除装置について説明する。
【００３４】
（本実施形態）
図５は、本実施形態に係るコネクタのロック解除装置を模式的に説明するための一部断面側面図である。
【００３５】
このロック解除装置１０は、コネクタ１をジャック２から抜去方向Dに沿って抜去するのに使用するものであり、そのコネクタ１を囲うケース１５を有する。
【００３６】
抜去対象のコネクタ１は、ケーブル３の先端に設けられた例えばRJ-11やRJ-45等の規格に準拠したものであって、その外周面１ａにはロックレバー４が突出するように設けられている。そして、そのロックレバー４がジャック２に嵌合することで、コネクタ１とジャック２とがロック状態になる。
【００３７】
ケース１５の内側には、操作レバー１６と解除レバー１７とが収容される。
【００３８】
このうち、操作レバー１６はユーザが指Fで押下する操作部１６ｘを備える。また、解除レバー１７は、ロックレバー４を押下する押下部１７ｘを備える。
【００３９】
なお、ロック解除装置１０の各部品の材料は特に限定されない。ケース１５、操作レバー１６、及び解除レバー１７の各々の材料としては、これらの部品に求められる強度等を考慮して、樹脂や金属等を採用し得る。
【００４０】
図６は、このロック解除装置１０の外観図である。
【００４１】
図６に示すように、ケース１５は、コネクタ１の抜去方向Dに長い角筒状であって、その開口端１５ａから前述の操作部１６ｘが抜去方向Dに突出する。
【００４２】
また、ケース１５の底部１５ｃには、ケーブル３（図５参照）を通すためのスリット１５ｂが抜去方向Dに延びるようにして設けられる。
【００４３】
ケース１５の大きさは特に限定されない。この例では、抜去方向Dに沿ったケース１５の長さPを３０mm〜５０mm程度とする。また、開口端１５ａは、一辺の長さQが１５mm〜２０mm程度の略正方形状とする。
【００４４】
図７は、ロック解除装置１０の透視斜視図である。
【００４５】
図７に示すように、ケース１５は両側が開口されており、その一方の開口端１５ａと他方の開口端１５ａとが前述のスリット１５ｂにより繋がれる。
【００４６】
更に、ケース１５の内側面には第１の軸２１と第２の軸２２が抜去方向Dに間隔をおいて設けられる。
【００４７】
第１の軸２１と第２の軸２２は、ケース１５と一体的に形成してもよいし、ケース１５とは別部品にし、接着剤等によりケース１５に固定してもよい。
【００４８】
そして、前述の操作レバー１６は、ケース１５内に第１の軸２１を中心にして回動自在に支持される。更に、その操作レバー１６の先端付近には、操作レバー１６の回動運動に伴って円弧Aに沿って変位する突起１９が設けられる。
【００４９】
一方、前述の解除レバー１７は、ケース１５内に第２の軸２２を中心にして回動自在に支持される。そして、その解除レバー１７の先端付近には、突起１９と嵌合する長穴１７ａが設けられる。
【００５０】
その長穴１７ａは、操作レバー１６の回動運動に伴う突起１９の変位を長径方向に許容するものであり、図７の状態ではその長径方向は抜去方向Dに一致する。
【００５１】
なお、操作部１６ｘの幅L1と押下部１７ｘの幅L2は特に限定されない。但し、小さな解除レバー４（図５参照）を押下部１７ｘで押下できるようにするために、押下部１７ｘの幅L2を操作部１６ｘの幅L1よりも狭くするのが好ましい。これにより、幅L1の広い操作部１６ｘをユーザが操作し易くなるという利点も得られる。
【００５２】
図８は、ロック解除装置１０の上面図である。
【００５３】
図８に示すように、操作部１６ｘの角部は面取りされており、これにより操作部１６ｘを押下するときにユーザが感じる痛みが緩和される。
【００５４】
図９は、ロック解除装置１０の側面図である。
【００５５】
図９に示すように、前述の第１の軸２１と第９の軸２２は、ケース１５の底部１５ｃを基準にしてそれぞれ同じ高さHに位置する。
【００５６】
図１０（ａ）は、ロック解除装置１０を操作レバー１６側から見た正面図である。
【００５７】
図１０（ａ）に示すように、操作レバー１６は正面視でコの字状であり、その側部１６ｓがケース１５の内側面１５yと略平行に設けられる。更に、左右のそれぞれの内側面１５yには、前述の第１の軸２１がそれぞれ同じ高さに設けられる。
【００５８】
図１０（ｂ）は、この第１の軸２１とその周囲の正面図である。
【００５９】
図１０（ｂ）に示すように、第１の軸２１は、内側面１５yに対して垂直な方向に延びる。そして、操作レバー１６には、第１の軸２１が嵌る第１の穴１６ａが設けられている。なお、第１の軸２１の先端には、第１の穴１６ａよりも直径が大きな膨大部２１ａが設けられており、これにより第１の軸２１から操作レバー１６が脱落するのが防止される。
【００６０】
一方、図１１（ａ）は、ロック解除装置１０を解除レバー１７側から見た背面図である。
【００６１】
図１１（ａ）に示すように、操作レバー１６と同様に解除レバー１７もコの字状であり、その側部１７ｓがケース１５の内側面１５yと略平行に設けられる。そして、左右のそれぞれの内側面１５yには、前述の第２の軸２２がそれぞれ同じ高さに設けられる。
【００６２】
図１１（ｂ）は、この第２の軸２２とその周囲の背面図である。
【００６３】
図１１（ｂ）に示すように、第１の軸２１と同様に第２の軸２２も内側面１５yに対して垂直な方向に延びる。そして、解除レバー１７には、第２の軸２２が嵌る第２の穴１７ｂが設けられている。なお、第２の軸２２の先端には、第２の軸２２から解除レバー１７が脱落するのを防止するための膨大部２２ａが設けられる。
【００６４】
図１２は、ロック解除装置１０の透視側面図である。
【００６５】
図１２に示すように、操作レバー１６の操作部１６ｘは、側面視で第１の軸２１よりも高い位置からケース１５の外側に突出する。
【００６６】
更に、操作レバー１６は、側面視で操作部１６ｘよりも低い位置に、突起１９から第１の軸２１に延在する第１の延在部１６ｙを備える。その第１の延在部１６ｙは、図１２のようにユーザが操作していない状態においては、コネクタの抜去方向Dと平行な方向に延在する。
【００６７】
一方、解除レバー１７の押下部１７ｘは、側面視において第２の軸２２よりも高い位置に設けられる。
【００６８】
そして、解除レバー１７において押下部１７ｘよりも低い位置には、長穴１７ａから第２の軸２２に延在する第２の延在部１７ｙが設けられる。第１の延在部１６ｘと同様に、ユーザが操作していない状態においては第２の延在部１７ｙはコネクタの抜去方向Dと平行な方向に延在する。
【００６９】
図１３は、操作レバー１６の正面図である。
【００７０】
図１３に示すように、操作レバー１６の突起１９は、側部１６ｓに対して垂直な方向に突出する。
【００７１】
図１４は、突起１９とその周囲の正面図である。
【００７２】
図１４に示すように、突起１９は解除レバー１７の長穴１７ａと嵌合するが、その解除レバー１７が突起１９から脱落するのを防止するための膨大部１９ａが突起１９の先端に設けられる。
【００７３】
図１５（ａ）、（ｂ）は、操作レバー１６と解除レバー１７の動作原理について説明するための側面図である。
【００７４】
図１５（ａ）に示すように、ユーザが操作レバー１６を操作しない状態においては、操作レバー１６の第１の延在部１６ｙと解除レバー１７の第２の延在部１７ｙの各々がほぼ平行な状態となる。
【００７５】
そして、ユーザが操作レバー１６の操作部１６ｘを押下すると、図１５（ｂ）に示すように、操作レバー１６が第１の軸２１を中心にして回動する。そして、互いに嵌合した長穴１７ａと突起１９がこの回動運動を解除レバー１７の回動運動に変換するリンク機構とし、解除レバー１７の解除部１７ｘが下方に変位する。
【００７６】
次に、このロック解除装置１０を用いたコネクタのロック解除方法について説明する。
【００７７】
図１６〜図１７は、ロック解除装置１０を用いたコネクタのロック解除方法について模式的に説明するための一部断面側面図である。なお、図１６〜図１７において、図５〜図１５で説明したのと同じ要素にはこれらの図におけるのと同じ符号を付し、以下ではその説明を省略する。
【００７８】
まず、図１６（ａ）に示すように、ケーブル３の上にロック解除装置１０を配する。なお、ケーブル３の先端にあるコネクタ１は、この状態ではジャック２とロック状態にある。
【００７９】
また、図５を参照して説明したように、このコネクタ１はRJ-11やRJ-45等の規格に準拠したコネクタであり、その外周面１ａからロックレバー４が突出している。
【００８０】
次に、図１６（ｂ）に示すように、スリット１５ｂ（図７参照）にケーブル３を通す。
【００８１】
ここで、ケーブル３は抜去方向Dに延在しているので、抜去方向Dに沿って形成されたスリット１５ｂ（図７参照）と干渉せずにケース１５内に収まる。
【００８２】
そして、ケーブル３に沿ってロック解除装置１０をジャック２側に移動させることにより、ケース１５でコネクタ１を囲う。
【００８３】
次いで、図１７（ａ）に示すように、ユーザが指で操作レバー１６の操作部１６ｘを押下する。
【００８４】
これにより、第１の軸２１を中心にして操作レバー１６が回動すると共に、この回動運動に連動して解除レバー１７が第２の軸２２を中心にして回動する。そして、最終的には解除レバー１７の押下部１７ｘがロックレバー４を押下して、コネクタ１とジャック２とのロック状態が解除される。
【００８５】
このとき、前述のように操作部１６ｘを側面視で第１の軸２１よりも高い位置に設けたため、操作部１６ｘとケーブル３との間の間隔Zを広げることができる。その結果、操作部１６ｘがケーブル３に当接することなしに、押下部１７ｘで解除レバー４を押下することができる。
【００８６】
更に、側面視で操作部１６ｘよりも低い位置に第１の延在部１６ｙを設けたため、ケース１５内で第１の延在部１６ｙが回動するスペースが確保され、第１の延在部１６ｙとケース１５の内面とが干渉し難くなる。
【００８７】
これと同様の理由により、側面視で押下部１７ｘよりも低い位置に第２の延在部１７ｙを設けたため、第２の延在部１７ｙとケース１５の内面との干渉が抑制される。
【００８８】
しかも、押下部１７ｘを側面視で第２の軸２２よりも高い位置に設けたことで、ケース１５内で押下部１７ｘが下方に変位する余裕が増える。そのため、ロック解除に要するロックレバー４の押下量が大きい場合であっても、押下部１７ｘでロックを解除することができる。
【００８９】
次いで、図１７（ｂ）に示すように、ユーザが操作部１６ｘを押下したままで、ジャック２からコネクタ１を抜去する。その後に、ロック解除装置１０をコネクタ１から取り外す。
【００９０】
以上により、ロック解除装置１０を用いたコネクタ１の抜去を終了する。
【００９１】
なお、ジャック２にコネクタ１を挿入するには上記とは逆の手順を行えばよい。
【００９２】
このロック装置１０によれば、図１７（ｂ）に示したように、操作部１６ｘを抜去方向Dに突出させた。そのため、ロックを解除するためにユーザが押下すべき部分が、ロックレバー４から抜去方向Dに後退した操作部１６ｘに移る。これにより以下のように狭いスペースにあるコネクタ１を簡単に抜去できる。
【００９３】
図１８は、ロック解除装置１０の使用を前提としていない比較例に係る複数のコネクタ１の一部断面側面図である。
【００９４】
この比較例では、ロック解除装置１０を使用しないため、ユーザが指でロックレバー４を押下しないとコネクタ１のロック状態が解消されない。よって、隣接するコネクタ１の間隔D1を、ユーザの指が入る程度に広げなければならず、複数のコネクタ１を密に配置するのが難しい。
【００９５】
一方、図１９は、ロック解除装置１０の使用を前提とした本実施形態に係る複数のコネクタ１の一部断面側面図である。
【００９６】
本実施形態では、前述のように、ロックを解除するためにユーザが押下すべき部分がロックレバー４からケーブル３寄りの操作部１６ｘに移る。隣接するケーブル３の間隔D4はコネクタ１の間隔D3よりも広いため、その間隔D3を狭めてもユーザは操作部１６ｘを操作することができる。
【００９７】
これにより、間隔D3を比較例の間隔D1（図１８参照）よりも狭めて各コネクタ１を密に配置することが可能となり、サーバ等の電子装置にコネクタ１を高密度に実装することができる。
【００９８】
しかも、図３の例とは異なり、コネクタ１を抜去するために工具を使用する必要もないため、工具によりコネクタ１を傷つけるおそれもない。
【００９９】
図２０（ａ）、（ｂ）は、上記のようにコネクタ１の実装密度が向上することで得られる効果について説明するための模式図である。
【０１００】
このうち、図２０（ａ）は、図１８と同様にロック解除装置１０の使用を前提としない比較例に係るコネクタ１を備えたサーバ３０の背面図である。
【０１０１】
そのサーバ３０は、筐体３１とその中に挿入された複数のカード３２とを有し、各カード３２に複数のコネクタ１が設けられる。
【０１０２】
一方、図２０（ｂ）は、ロック解除装置１０の使用を前提とした本実施形態に係るコネクタ１を備えたサーバ３０の背面図である。
【０１０３】
前述のように、本実施形態では隣接するコネクタ１の間隔D3を比較例における間隔D1よりも狭くすることができる。そのため、比較例と同一の筐体３１を用いた場合、本実施形態では筐体３１に挿入できるカード３２の枚数を増やすことができる。
【０１０４】
本願発明者の試算によれば、比較例では一枚のカード３２の幅W1が２cmであったのに対し、本実施形態では一枚のカード３２の幅W2を１．６cm程度に薄くすることができた。これにより、比較例では筐体３１にカード３２を１２枚しか収容できなかったのに対し、本実施形態では同一の筐体３１に１５枚のカード３２を収容できるようになり、カード３２の収容枚数が２０％増えることが明らかとなった。
【０１０５】
なお、上記した図１６〜図１７においては、ロックレバー４が突出しているタイプのコネクタ１のロック解除方法について説明した。本実施形態では、ロックレバー４が突出していないタイプのコネクタであっても、上記と同一のロック解除装置１０を用いることで、以下のようにロックを解除することができる。
【０１０６】
図２１〜図２２は、本実施形態に係るロック解除装置１０を用いることにより、ロックレバー４が突出していないタイプのコネクタのロック状態を解除する方法について説明するための一部断面側面図である。なお、図２１〜図２２において、図５〜図１７で説明したのと同じ要素にはこれらの図におけるのと同じ符号を付し、以下ではその説明を省略する。
【０１０７】
まず、前述の図１６（ａ）〜図１６（ｂ）と同様にして、図２１（ａ）に示すようにケース１５でコネクタ５を囲う。
【０１０８】
但し、そのコネクタ５はベンダー独自の規格に準拠したコネクタであって、そのロックレバー４がコネクタ５の外周面５ａと略同一面内にある。そして、この段階ではロックレバー４の係止爪４ａがジャック２に係止しており、これによりジャック２にコネクタ５がロックされた状態にある。
【０１０９】
次に、図２１（ｂ）に示すように、ユーザが指で操作レバー１６の操作部１６ｘを押下することにより解除レバー１７でロックレバー４を押下し、コネクタ５とジャック２とのロック状態を解消する。
【０１１０】
そして、図２２に示すように、ユーザが操作部１６ｘを押下したままで、ジャック２からコネクタ５を抜去する。その後に、ロック解除装置１０をコネクタ５から取り外す。
【０１１１】
以上により、ロック解除装置１０を用いたコネクタ５の抜去を終了する。
【０１１２】
このように、本実施形態では、ロックレバー４が突出しているか否かの如何を問わずに、コネクタを抜去することができる。
【０１１３】
なお、ジャック２にコネクタ５を挿入するには上記とは逆の手順を行えばよい。
【０１１４】
以上説明した各実施形態に関し、更に以下の付記を開示する。
【０１１５】
（付記１）  ジャックに対してコネクタをロック状態にするロックレバー付きの前記コネクタを囲うケースと、
前記ケース内に第１の軸を中心にして回動自在に支持され、かつ、前記ケースから前記コネクタの抜去方向に突出した部位にユーザが操作する操作部を備えた操作レバーと、
前記ケース内に第２の軸を中心にして回動自在に支持され、かつ、前記ロックレバーを押下して前記コネクタと前記ジャックとのロック状態を解除する解除レバーと、
前記操作レバーに設けられた突起とを有し、
前記解除レバーに、前記突起と嵌合しつつ、前記操作レバーの回動運動に伴う前記突起の変位を長径方向に許容する長穴が設けられたことを特徴とするコネクタのロック解除装置。
【０１１６】
（付記２）  前記ケースに、前記コネクタに接続されたケーブルが通るスリットが設けられたことを特徴とする付記１に記載のコネクタのロック解除装置。
【０１１７】
（付記３）  前記スリットは、前記抜去方向に延在することを特徴とする付記２に記載のコネクタのロック解除装置。
【０１１８】
（付記４）  前記操作部は、側面視において、前記第１の軸よりも高い位置から前記ケースの外側に突出したことを特徴とする付記１に記載のコネクタのロック解除装置。
【０１１９】
（付記５）  前記操作レバーは、側面視において、前記操作部よりも低い位置に、前記突起から前記第１の軸に延在する第１の延在部を有することを特徴とする付記４に記載のコネクタのロック解除装置。
【０１２０】
（付記６）  前記解除レバーは、側面視において、前記第２の軸よりも高い位置に前記ロックレバーを押下する押下部を有することを特徴とする付記１に記載のコネクタのロック解除装置。
【０１２１】
（付記７）  前記解除レバーは、側面視において、前記押下部よりも低い位置に、前記長穴から前記第２の軸に延在する第２の延在部を有することを特徴とする付記６に記載のコネクタのロック解除装置。
【０１２２】
（付記８）  前記押下部の幅は、前記操作部の幅よりも狭いことを特徴とする付記６に記載のコネクタのロック解除装置。
【０１２３】
（付記９）  前記ロックレバーは、前記コネクタの外周面と同一面内にあることを特徴とする付記１乃至付記８のいずれかに記載のコネクタのロック解除装置。
【符号の説明】
【０１２４】
１、５…コネクタ、１ａ、５ａ…外周面、３…ケーブル、４…ロックレバー、４ａ…係止片、９…工具、１０…ロック解除装置、１５…ケース、１５ａ…開口端、１５ｂ…スリット、１５ｃ…底部、１５ｙ…内側面、１６…操作レバー、１６ａ…第１の穴、１６ｓ…側部、１６ｘ…操作部、１６ｙ…第１の延在部、１７…解除レバー、１７ａ…長穴、１７ｂ…第２の穴、１７ｓ…側部、１７ｘ…押下部、１７ｙ…第２の延在部、１９…突起、２１…第１の軸、２２…第２の軸、３０…サーバ、３１…筐体、３２…カード。
【図１】
0006387848.tif 000002
【図２】
0006387848.tif 000003
【図３】
0006387848.tif 000004
【図４】
0006387848.tif 000005
【図５】
0006387848.tif 000006
【図６】
0006387848.tif 000007
【図７】
0006387848.tif 000008
【図８】
0006387848.tif 000009
【図９】
0006387848.tif 000010
【図１０】
0006387848.tif 000011
【図１１】
0006387848.tif 000012
【図１２】
0006387848.tif 000013
【図１３】
0006387848.tif 000014
【図１４】
0006387848.tif 000015
【図１５】
0006387848.tif 000016
【図１６】
0006387848.tif 000017
【図１７】
0006387848.tif 000018
【図１８】
0006387848.tif 000019
【図１９】
0006387848.tif 000020
【図２０】
0006387848.tif 000021
【図２１】
0006387848.tif 000022
【図２２】
0006387848.tif 000023